(57)【要約】【課題】操作性を向上させて、操作時の使用者に対して混乱を招くことなく、使い勝手を向上させることができる電子水栓装置を提供する。【解決手段】本発明の電子水栓装置１は、通湯路８及び通水路１０のそれぞれから供給された湯及び水を混合する水栓本体部２と、この水栓本体部で混合された湯水を吐水する吐水部１８と、この吐水部の上流側の流路を電気的に開閉する電気式の開閉弁１２，１４と、この開閉弁の開閉を行う第１操作部４及び第２操作部６と、第１操作部及び第２操作部のそれぞれから送信される電気的な信号に基づいて開閉弁を制御する制御部２２と、を有し、この制御部は、第１操作部及び第２操作部のいずれか一方の操作部が吐止水操作された状態において、他方の操作部が吐止水操作された場合には、他方の操作部から送信される電気的な信号を優先して開閉弁を制御し、吐水部における吐止水を可能にする。【選択図】図３
2019065530.tif 000002
【特許請求の範囲】
【請求項１】
電気的な信号に基づいて流量及び温度が調整された湯水を吐止水する電子水栓装置であって、
給湯源から湯が供給される通湯路と、
給水源から水が供給される通水路と、
上記通湯路及び上記通水路のそれぞれから供給された湯及び水を混合する水栓本体部と、
この水栓本体部で混合された湯水を吐水する吐水部と、
この吐水部の上流側の流路を電気的に開閉する電気式の開閉弁と、
この開閉弁の開閉を行う第１操作部及び第２操作部と、
上記第１操作部及び上記第２操作部のそれぞれから送信される電気的な信号に基づいて上記開閉弁を制御する制御部と、を有し、
上記制御部は、上記第１操作部及び上記第２操作部のいずれか一方の操作部が吐止水操作された状態において、他方の操作部が吐止水操作された場合には、上記他方の操作部から送信される電気的な信号を優先して上記開閉弁を制御し、上記吐水部における吐止水を可能にすることを特徴とする電子水栓装置。
【請求項２】
上記第１操作部は、上記吐水部から吐水される吐水の流量の調整操作が可能であり、上記制御部は、上記第１操作部の止水操作により上記吐水部の吐水流量が０に設定されている場合において、上記第２操作部の吐水操作により上記開閉弁を開弁操作した信号が入力されたものと判断した場合には、予め定められた所定の流量で上記吐水部の吐水を開始させるように構成されている請求項１記載の電子水栓装置。
【請求項３】
上記第１操作部は、さらに、上記吐水部から吐水される吐水の温度の調整操作が可能であり、上記制御部は、上記第１操作部の止水操作により上記吐水部の吐水流量が０に設定されている場合において、上記第２操作部の吐水操作により上記開閉弁を開弁操作した信号が入力されたものと判断した場合には、上記第１操作部により設定されている温度に基づいて上記吐水部の吐水を開始させるように構成されている請求項２記載の電子水栓装置。
【請求項４】
上記制御部は、さらに、上記予め定められた所定の流量の設定を変更可能にする流量設定変更手段を備えている請求項２記載の水栓装置。
【請求項５】
上記制御部は、さらに、上記第２操作部の吐水操作により上記予め定められた所定の流量で吐水を開始させた後、上記第１操作部が吐水操作されたものと判断した場合には、上記第１操作部から送信される信号を優先して、上記吐水の流量又は温度を変更可能に構成されている請求項２又は３に記載の電子水栓装置。
【請求項６】
上記第２操作部は、対象物を検知する検知部を備え、上記制御部は、上記検知部が上記対象物を検知している状態では上記吐水部の吐水を継続させ、上記検知部が上記対象物を検知できなくなった状態では止水を行うように構成され、
上記制御部は、さらに、上記第２操作部の操作により上記予め定められた所定の流量で上記吐水部の吐水を開始させた状態において、上記第１操作部が吐水操作されたものと判断した場合には、上記検知部が上記対象物を検知できなくなっている状態であっても、上記吐水部の吐水を継続させるように構成されている請求項２又は３に記載の電子水栓装置。
【請求項７】
上記制御部は、上記吐水部から吐水が行われている状態において、上記第１操作部又は上記第２操作部のいずれかが止水操作された場合には、上記開閉弁を閉弁させるように構成されている請求項１乃至６の何れか１項に記載の電子水栓装置。
【発明の詳細な説明】
【技術分野】
【０００１】
本発明は、電子水栓装置に係り、特に、電気的な信号に基づいて温度及び流量が調整された湯水を吐止水する電子水栓装置に関する。
【背景技術】
【０００２】
従来から、電気的な信号に基づいて温度及び流量が調整された湯水を吐止水する電子水栓装置として、例えば、特許文献１に記載されているように、自動水栓と手動水栓をハイブリットした電子水栓装置が知られている。
まず、特許文献１に記載されている従来の電子水栓装置においては、操作ボタンにおけるタッチ操作とシングルレバーによる手動のレバー操作がそれぞれ可能な２つの操作部を備えている。これにより、使用状況に応じて、２つの操作部を使い分けて操作することができ、それぞれの操作部を操作することによって、給湯用の電磁弁や給水用の電磁弁が開閉されて、吐水部の吐止水が可能となっている。
【先行技術文献】
【特許文献】
【０００３】
【特許文献１】特開２０１４−１５７８１号公報
【発明の概要】
【発明が解決しようとする課題】
【０００４】
しかしながら、上述した特許文献１に記載されている従来の電子水栓装置においては、タッチ操作とレバー操作のそれぞれが可能な２つの操作部において、一方の操作部の操作（例えば、シングルレバーによるレバー操作）によって電磁弁が閉弁している状態で使用者が他方の操作部の操作（例えば、押しボタンによるタッチ操作）によって吐水操作を行っても、止水状態が維持されて吐水が開始されないため、使用者に対して混乱を招いてしまうという問題がある。
したがって、電子水栓装置について、いかに操作性を向上させて、操作時の使用者に対して混乱を招くことなく、使い勝手がよいものにするかが要請された課題となっている。
【０００５】
そこで、本発明は、上述した課題を解決するためになされたものであり、操作性を向上させて、操作時の使用者に対して混乱を招くことなく、使い勝手を向上させることができる電子水栓装置を提供することを目的としている。
【課題を解決するための手段】
【０００６】
上述した課題を解決するために、本発明は、電気的な信号に基づいて流量及び温度が調整された湯水を吐止水する電子水栓装置であって、給湯源から湯が供給される通湯路と、給水源から水が供給される通水路と、上記通湯路及び上記通水路のそれぞれから供給された湯及び水を混合する水栓本体部と、この水栓本体部で混合された湯水を吐水する吐水部と、この吐水部の上流側の流路を電気的に開閉する電気式の開閉弁と、この開閉弁の開閉を行う第１操作部及び第２操作部と、上記第１操作部及び上記第２操作部のそれぞれから送信される電気的な信号に基づいて上記開閉弁を制御する制御部と、を有し、上記制御部は、上記第１操作部及び上記第２操作部のいずれか一方の操作部が吐止水操作された状態において、他方の操作部が吐止水操作された場合には、上記他方の操作部から送信される電気的な信号を優先して上記開閉弁を制御し、上記吐水部における吐止水を可能にすることを特徴としている。
このように構成された本発明においては、第１操作部及び第２操作部のいずれか一方の操作部が吐止水操作された状態において他方の操作部が吐止水操作された場合には、制御部が、他方の操作部から送信される電気的な信号を優先して開閉弁を制御することができ、吐水部における吐止水を確実に行うことができる。
これにより、例えば、吐水部による吐水を開始させたい場合、第１操作部及び第２操作部のいずれか一方の操作部が止水操作された状態であっても、その後、他方の操作部が吐水操作されることにより、確実に吐水を開始させることができる。
したがって、吐水操作を意図した使用者は、第１操作部及び第２操作部のいずれの操作部を操作しても、確実に吐水を行うことができる。このため、使用者が吐水操作を行っているにもかかわらず、意図した吐水が行われていないことにより使用者に対して混乱を招くことを防ぐことができる。
よって、操作性を向上させて、操作時の使用者に対して混乱を招くことなく、使い勝手を向上させることができる電子水栓装置を提供することができる。
【０００７】
本発明において、好ましくは、上記第１操作部は、上記吐水部から吐水される吐水の流量の調整操作が可能であり、上記制御部は、上記第１操作部の止水操作により上記吐水部の吐水流量が０に設定されている場合において、上記第２操作部の吐水操作により上記開閉弁を開弁操作した信号が入力されたものと判断した場合には、予め定められた所定の流量で上記吐水部の吐水を開始させるように構成されている。
このように構成された本発明においては、第１操作部の操作により吐水部から吐水される吐水の流量の調整を行うことができるが、この第１操作部の止水操作により吐水流量が０と設定されている場合であっても、第２操作部の吐水操作により開閉弁を開弁操作した信号が入力されたものと制御部が判断した場合には、吐水部の吐水を予め定められた所定の流量で確実に開始させることができる。
したがって、第１操作部の止水操作により吐水流量が０と設定されている場合であっても、吐水を意図した使用者は、第２操作部を吐水操作することにより、確実に吐水を行うことができる。このため、使用者が吐水操作をしているにも関わらず、意図した吐水が行われていないことで使用者に対して混乱を招くことを防ぐことができる。
【０００８】
本発明において、好ましくは、上記第１操作部は、さらに、上記吐水部から吐水される吐水の温度の調整操作が可能であり、上記制御部は、上記第１操作部の止水操作により上記吐水部の吐水流量が０に設定されている場合において、上記第２操作部の吐水操作により上記開閉弁を開弁操作した信号が入力されたものと判断した場合には、上記第１操作部により設定されている温度に基づいて上記吐水部の吐水を開始させるように構成されている。
このように構成された本発明においては、第１操作部の操作により吐水部から吐水される吐水の温度の調整を行うことができるが、この第１操作部の止水操作により吐水流量が０と設定されている場合であっても、第２操作部の吐水操作により開閉弁を開弁操作した信号が入力されたものと制御部が判断した場合には、吐水部の吐水を第１操作部により設定されている温度に基づいて開始させることができる。
この際、第１操作部の操作位置を見れば、吐水部の吐水温度をある程度予測することができるが、吐水部の吐水を第１操作部により設定されている温度に基づいて開始させることができるため、予測された吐水温度と実際の吐水温度との差を抑制することができ、使用者に違和感を与えることを抑制することができる。
【０００９】
本発明において、好ましくは、上記制御部は、さらに、上記予め定められた所定の流量の設定を変更可能にする流量設定変更手段を備えている。
このように構成された本発明においては、第１操作部の止水操作により吐水部の吐水流量が０であるときには、第２操作部の吐水操作により吐水部の吐水を予め定められた所定の流量で確実に開始させることができる。
この際、使用状況や使用者の好みに応じて、吐水流量に対する要求は様々であるが、制御部の流量設定変更手段により、吐水部の吐水の予め定められた所定の流量を変更可能にしたことにより、使用状況や使用者の好みに応じた吐水流量を設定することができる。
したがって、使い勝手を向上させることができる。
【００１０】
本発明において、好ましくは、上記制御部は、さらに、上記第２操作部の吐水操作により上記予め定められた所定の流量で吐水を開始させた後、上記第１操作部が吐水操作されたものと判断した場合には、上記第１操作部から送信される信号を優先して、上記吐水の流量又は温度を変更可能に構成されている。
このように構成された本発明においては、第２操作部の操作後に第１操作部が操作された際に第１操作部から送信された信号が優先されることにより、吐水の流量又は温度を確実に変更することができる。
したがって、第２操作部の吐水操作により、予め定められた所定の流量で吐水を開始させた後に第１操作部が吐水操作された場合、第１操作部が吐水操作されているにも関わらず、吐水の流量や温度が変化していないという事態を招くことを防ぐことができ、使用者に対する違和感を無くすことができる。
したがって、使用者の意図に応じた流量又は温度で吐水を実現することができるため、使い勝手を向上させることができる。
【００１１】
本発明において、好ましくは、上記第２操作部は、対象物を検知する検知部を備え、上記制御部は、上記検知部が上記対象物を検知している状態では上記吐水部の吐水を継続させ、上記検知部が上記対象物を検知できなくなった状態では止水を行うように構成され、
上記制御部は、さらに、上記第２操作部の操作により上記予め定められた所定の流量で上記吐水部の吐水を開始させた状態において、上記第１操作部が吐水操作されたものと判断した場合には、上記検知部が上記対象物を検知できなくなっている状態であっても、上記吐水部の吐水を継続させるように構成されている。
このように構成された本発明においては、第２操作部にて所定流量の吐水が開始された後に、吐水部の吐水を継続させている状態で、さらに、第１操作部を吐水操作すると、第１操作部から吐水操作した信号が制御部に入力される。この際、第２操作部の検知部が対象物を検知できなくなって第２操作部から止水操作している信号が制御部に入力されたとしても、制御部が、第１操作部からの吐水操作した信号を優先してさらに吐水を継続させることができる。
したがって、吐水を継続させることを意図して第１操作部を操作した使用者にとって、意に反した止水を防ぐことができるため、使い勝手がよい。
【００１２】
本発明において、好ましくは、上記制御部は、上記吐水部から吐水が行われている状態において、上記第１操作部又は上記第２操作部のいずれかが止水操作された場合には、上記開閉弁を閉弁させるように構成されている。
このように構成された本発明においては、吐水部から吐水が行われている状態において、第１操作部又は第２操作部のいずれかが止水操作された場合には、開閉弁を確実に閉弁させることができる。
したがって、止水を意図している使用者にとって、第１操作部及び第２操作部のいずれの操作部を止水操作しているにも関わらず止水することができない事態を招くことを防ぐことができ、使用者に対する違和感を無くすことができる。
さらに、止水を意図した場合、第１操作部及び第２操作部のいずれの操作部を止水操作しても、確実に止水することができるため、使い勝手を向上させることができると共に、無駄水の発生を抑制し、節水化を実現することができる。
【発明の効果】
【００１３】
本発明の電子水栓装置によれば、操作性を向上させて、操作時の使用者に対して混乱を招くことなく、使い勝手を向上させることができる。
【図面の簡単な説明】
【００１４】
【図１】本発明の第１実施形態による電子水栓装置の構成を示すブロック図である。
【図２】本発明の第１実施形態による電子水栓装置の概略正面図である。
【図３】本発明の第１実施形態による電子水栓装置の吐止水操作に関するメインフローを示す。
【図４】本発明の第１実施形態による電子水栓装置の吐止水操作に関する流量設定変更モードのフローである。
【図５】本発明の第１実施形態による電子水栓装置の吐止水操作に関する流量設定変更モードのフローの変形例である。
【図６】本発明の第２実施形態による電子水栓装置の吐止水操作に関するメインフローを示す。
【図７】本発明の第３実施形態による電子水栓装置の構成を示すブロック図である。
【図８】本発明の第３実施形態による電子水栓装置の吐止水操作に関するメインフローを示す。
【発明を実施するための形態】
【００１５】
以下、図１〜図４を参照して本発明の第１実施形態による電子水栓装置について説明する。
図１は、本発明の第１実施形態による電子水栓装置の構成を示すブロック図である。また、図２は、本発明の第１実施形態による電子水栓装置の概略正面図である。
図１及び図２に示すように、本発明の第１実施形態による電子水栓装置１は、水栓本体部２、第１操作部であるシングルレバー式の操作レバー４、及び、第２操作部であるタッチ検出装置６を備えている。
【００１６】
まず、図１及び図２に示すように、水栓本体部２は、カウンターボードＣ上に取り付けられており、この水栓本体部２の上流側には、通水路８及び通湯路１０がそれぞれ接続されている。
つぎに、図１に示すように、本実施形態の電子水栓装置１は、通湯路８及び通水路１０のそれぞれには、電気式の開閉弁である湯用モータバルブ１２及び水用モータバルブ１４がそれぞれ設けられている。
また、図１及び図２に示すように、水栓本体部２の下流側には、スパウト１６が設けられている。このスパウト１６の先端近傍には、水栓本体部２で混合された湯水を吐水する吐水部である吐水口１８が設けられている。
なお、本実施形態では、湯用モータバルブ１２及び水用モータバルブ１４のそれぞれが通湯路８及び通水路１０のそれぞれに設けられた形態について説明するが、このような形態に限られず、他の形態であってもよい。例えば、他の形態として、モータバルブ１２，１４の代わりに、通湯路８からの湯と通水路１０からの水とが混合される混合部に設けられた混合弁（温度調節用の開閉弁）により湯水の温度調整が行われた後、さらに、この混合弁の下流側の混合路に設けられた流調弁（流量調整用の開閉弁）により、湯水の流量調整が行われるような形態であってもよい。
【００１７】
つぎに、図１及び図２に示すように、シングルレバー式の操作レバー４は、水栓本体部２の側方に回転可能に設けられている。
すなわち、図１及び図２に示すように、操作レバー４は、その側方から見て水平前後方向に延びる回転中心軸線Ａ１を中心に回転操作することにより吐止水操作が可能であり、かつ、吐水口１８から吐水される吐水流量の調整操作が可能となっている。
例えば、図２に示すように、操作レバー４が回転中心軸線Ａ１を中心に一方向θ１（吐水側操作方向θ１）に回転操作された場合には、吐水流量が大となる方向に吐水操作され、操作レバー４が回転中心軸線Ａ１を中心に他方向θ２（止水側方向θ２）に回転操作された場合には、吐水流量が小となる方向に吐水操作され、或いは、操作レバー４の姿勢がほぼ鉛直方向に延びた姿勢で止水操作されるようになっている。
さらに、図１及び図２に示すように、操作レバー４は、回転中心軸線Ａ１に対して垂直で且つ前方から見て水平左右方向に延びる回転中心軸線Ａ２を中心に回転操作することにより、吐水口１８から吐水される吐水温度の調整操作が可能となっている。
例えば、図１に示すように、操作レバー４が回転中心軸線Ａ２を中心に一方向φ１（低温側操作方向φ１）に回転操作された場合には、吐水流量が低温側に操作され、操作レバー４が回転中心軸線Ａ２を中心に他方向φ２（高温側操作方向φ２）に回転操作された場合には、吐水流量が高温側に操作されるようになっている。
また、図１及び図２に示すように、操作レバー４の基端部には、加速度センサ２０が設けられている。この加速度センサ２０は、操作レバー４の回転操作に応じて操作レバー４と共に回転して、操作レバー４の傾斜状態等の姿勢や回転運動を検知することができるようになっている。
さらに、図１に示すように、電子水栓装置１は、各モータバルブ１２，１４の開閉を制御する制御部であるコントローラ２２を備えている。このコントローラ２２は、マイクロコンピュータ（図示せず）及びプログラム（図示せず）等が内蔵された検出回路（図示せず）を備えている。これにより、操作レバー４やタッチ検出装置６の操作に応じた信号が検出回路（図示せず）に送信されると、この検出回路（図示せず）で処理された信号が各モータバルブ１２，１４に出力され、これらのバルブ１２，１４が電気的に開閉されるようになっている。
【００１８】
すなわち、図１に示すように、操作レバー４が回転操作されると、操作レバー４の姿勢や回転運動を検知した加速度センサ２０から出力される加速度信号に基づいて、各モータバルブ１２，１４の開閉を制御することができるようになっているため、操作レバー４の操作に応じて吐水口１８を吐水状態又は止水状態に切り替える吐止水操作が可能となっている。
なお、本実施形態では、加速度センサ２０としては、いわゆる、ＭＥＭＳ（Microelectromechanical Systems）技術を応用した加速度センサとして周知であるＭＥＭＳ型の加速度センサが用いられており、この加速度センサ２０自体の構造、並びに基本的な検知方法や原理については従来のものと同様であるため、説明を省略する。
【００１９】
また、図１及び図２に示すように、タッチ検出装置６は、水栓本体部２の先端に設けられた検知部６ａを備えている。この検知部６ａの表面は、使用者が接触可能な接触部でもあり、例えば、使用者が検知部６ａの表面等接触部を軽くタッチすることにより、このタッチした信号がコントローラ２２に送信され、各モータバルブ１２，１４が電気的に開閉されるようになっている。
したがって、タッチ検出装置６のタッチ操作に応じたコントローラ２２の制御により、吐水口１８を吐水状態又は止水状態に切り替える吐止水操作が可能となっている。
【００２０】
つぎに、図１〜図４を参照して、本発明の第１実施形態による電子水栓装置の吐止水操作に関するメインフローについて説明する。
図３は、本発明の第１実施形態による電子水栓装置の吐止水操作に関するメインフローを示す。
ここで、図３に示すフローチャートにおける処理は、コントローラ２２の検出回路（図示せず）に内蔵されたマイクロコンピュータ（図示せず）及びプログラムによって実行される。
また、図３に示すフローチャートにおいては、操作レバー４の位置が数値化されており、例えば、操作レバー４の止水位置については０に設定され、吐水位置については０よりも大きい値に設定され、この吐水位置の数値は、吐水流量域が大流量に設定される程、大きい値に設定されている。
【００２１】
まず、図３に示すステップＳ１の初期設定では、各バルブ１２，１４の開度が０に設定されている。
つぎに、ステップＳ２のタッチ判定において、タッチ検出装置６の検知部６ａの表面（接触部）に対してタッチ操作がなされたか否かが判断される。そして、タッチ検出装置６の検知部６ａからコントローラ２２に送信される電気的な信号等に基づいて、タッチ操作が行われたものと判断された場合には、ステップＳ３において、各バルブ１２，１４の開度が０か否かが判断される。
【００２２】
つぎに、図３に示すステップＳ３において、各バルブ１２，１４の開度が０以外である場合、すなわち、吐水中には、使用者が止水操作を意図して今回のタッチ操作が行われたものと判断され、ステップＳ４に進む。
そして、ステップＳ４では、各バルブ１２，１４の開度が０に設定され、吐水口１８からの吐水が止水される。
【００２３】
つぎに、図３に示すステップＳ３において、各バルブ１２，１４の開度が０である場合、つまり止水中には、使用者が吐水操作を意図した状態で今回のタッチ操作が行われたものと判断され、ステップＳ５において、加速度センサ２０により検知された操作レバー４の位置が０であるか否かが判断される。
そして、ステップＳ５において、加速度センサ２０により検知された操作レバー４の位置が０である場合、すなわち、今回のタッチ操作前の操作レバー４の位置が止水位置である場合には、ステップＳ６に進む。
そして、ステップＳ６では、各バルブ１２，１４のうちの少なくとも水用モータバルブ１４の開度が０以外の予め定められた所定値に設定され、吐水口１８から所定の流量及び操作レバー４の操作位置により設定されている温度に基づいて水又は湯水の吐水が開始される。
すなわち、ステップＳ５からステップＳ６において、操作レバー４の止水操作により吐水口１８の吐水流量が０に設定されている場合において、タッチ検出装置６のタッチ操作による吐水操作により、コントローラ２２が、各バルブ１２，１４を開弁操作した信号が入力されたものと判断し、予め定められた所定の流量で吐水口１８の吐水を開始させると共に、操作レバー４の操作位置により設定されている温度に基づいて吐水を開始させる。
なお、ステップＳ６において、今回のタッチ操作による吐水操作によって吐水口１８から吐水される所定の流量については、詳細は後述する図４に示す流量設定変更モードのフローに基づいて、タッチ検出装置６の検知部６ａの表面（接触部）を所定時間接触する（例えば、５秒間長押しする）ことにより変更可能となっている。
【００２４】
つぎに、図３に示すステップＳ５において、操作レバー４の位置が０以外である場合、すなわち、今回のタッチ操作前の操作レバー４の位置が吐水位置である場合には、ステップＳ７において、操作レバー４の位置が０以外の所定値以上であるか否かが判断される。
そして、ステップＳ７において、操作レバー４の位置が０以外の所定値以上である場合、すなわち、吐水流量が大流量域に設定されている場合には、ステップＳ６に進む。そして、ステップＳ６において、吐水口１８から所定の流量及び操作レバー４の操作位置により設定されている温度に基づいて水又は湯水の吐水が開始される。これにより、使用者が操作レバー４の位置を確認せずに吐水操作を行った場合であっても、いきなり大流量の水が流れ、水はねしてしまうことを抑制できる。
【００２５】
さらに、図３に示すステップＳ６の後、ステップＳ２に戻り、再びタッチ判定が行われる。そして、ステップＳ２において、タッチ操作が行われていないものと判断された場合には、ステップＳ９に進む。
つぎに、ステップＳ９において、加速度センサ２０からコントローラ２２に送信される電気的な信号等に基づいて、操作レバー４の操作が行われたものと判断された場合には、操作レバー４の操作が行われたものと判断された場合には、ステップＳ１０において、各バルブ１２，１４の開度が０か否かが判断される。
すなわち、前回のタッチ操作によりステップＳ６において吐水口１８から所定の流量及び所定の温度の水又は湯水の吐水が開始された後、操作レバー４が操作された場合には、操作レバー４の加速度センサ２０からコントローラ２２に送信される信号が優先され、操作レバー４の操作量と操作位置に応じて吐水の流量及び温度が変更される。
なお、ステップＳ１０後のステップＳ８において、操作レバー４の位置が０の場合には、操作レバー４が止水操作されたものと判断され、各バルブ１２，１４の開度が０に設定され、吐水口１８からの吐水が止水される。
【００２６】
一方、図３に示すステップＳ７において、操作レバー４の位置が所定値未満であるものと判断された場合には、ステップＳ８にすすみ、操作レバー４の吐水位置及び温度位置に応じた各バルブ１２，１４の開度が設定され、吐水口１８から吐水される水又は湯水の流量及び温度調整が行われる。このとき、操作レバー４の吐水位置が０である場合には、流量が０に変更され、止水される。
【００２７】
つぎに、図３に示すステップＳ２のタッチ判定において、タッチ操作が行われていないものと判断された場合には、ステップＳ９において、操作レバー４の操作が行われたか否かが判断される。
そして、ステップＳ９において、加速度センサ２０からコントローラ２２に送信される電気的な信号等に基づいて、操作レバー４の操作が行われたものと判断された場合には、ステップ１０において、各バルブ１２，１４の開度が０か否かが判断される。
【００２８】
そして、ステップＳ１０において、各バルブ１２，１４の開度が０以外である場合、吐水中に操作レバー４が操作されたものと判断され、ステップＳ８に進む。これにより、操作レバー４の吐水位置及び温度位置に応じた各バルブ１２，１４の開度が設定され、吐水口１８から吐水される水又は湯水の流量及び温度調整が行われる。
【００２９】
つぎに、図３に示すステップＳ１０において、各バルブ１２，１４の開度が０である場合、すなわち、止水中である場合には、ステップＳ１１に進み、操作レバー４の移動距離（操作レバー１４の操作量）が０以外の所定量以上であるか否かが判断される。
そして、ステップＳ１１において、操作レバー４の移動距離（操作レバー１４の操作量）が所定量未満である場合には、例えば、周辺で発生した振動等の影響で操作レバー４が僅かに移動しているだけであり、使用者が意図して吐水操作を行っている場合ではないものと判断され、ステップＳ２に進み、再びタッチ判定が行われる。
【００３０】
一方、図３に示すステップＳ１１において、操作レバー４の移動距離（操作レバー１４の操作量）が所定量以上である場合には、吐水を行うべくステップＳ１２に進む。すなわち、タッチ検出装置６からの信号により各バルブ１２，１４が閉弁している状態であっても、その後、各バルブ１２，１４を開弁操作している信号が操作レバー４の加速度センサ２０からコントローラ２２に入力された場合には、操作レバー４が吐水操作されたものと判断し、吐水口１８の吐水が開始される。
そして、ステップＳ１２において、操作レバー４の位置が所定値未満であるものと判断された場合には、ステップＳ８に進み、操作レバー４の吐水位置及び温度位置に応じた各バルブ１２，１４の開度が設定され、吐水口１８から吐水される水又は湯水の吐水が開始される。
【００３１】
また、図３に示すステップＳ１２において、操作レバー４の位置が所定値以上であるものと判断された場合には、使用者が操作レバー４について前回の止水位置から大流量域の吐水位置までの吐水操作を意図して今回のレバー操作が行われたものと判断され、ステップＳ１３に進む。
そして、ステップＳ１３では、各バルブ１２，１４の開度が０から比較的大きな流量域に相当する所定値の開度まで所定時間をかけて徐々に増加される。さらに、具体的に説明すると、図２に記載した、一方向θ１の範囲は、所定値よりも多い流量を吐水する大流量領域であり、他方向θ２の範囲は、所定値よりも少ない流量を吐水する小流量領域であり、操作レバー４の位置が大流量領域にあると判断された場合は、単位時間当たりの吐水流量の増加量を小流量領域にある場合に比べて小さくする。
なお、各バルブ１２，１４の開度を所定時間をかけて徐々に増加させる際には、各バルブ１２，１４の開度を時間の経過と共に段階的に増加させてもよいし、或いは、連続的に増加させるようにしてもよい。目的の流量に達した後は、再び、ステップＳ２に戻り、一連の処理が継続される。
【００３２】
つぎに、再び、図３に示すステップＳ９において、操作レバー４の操作が行われていないものと判断された場合には、Ｓ１４において、電子水栓装置１の電源（図示せず）がオフにされる等の電源操作が行われたか否かが判断される。
そして、Ｓ１４において、電源操作が行われたものと判断された場合には処理が終了し、電源操作が行われていないものと判断された場合には、再び、ステップＳ２に戻り、一連の処理が継続される。
【００３３】
つぎに、図４を参照して、本発明の第１実施形態による電子水栓装置の吐止水操作に関する流量設定変更モードのフローについて説明する。
図４は、本発明の第１実施形態による電子水栓装置の吐止水操作に関する流量設定変更モードのフローである。
本実施形態では、コントローラ２２が、流量設定変更手段として、タッチ操作による吐水操作によって吐水口１８から吐水される予め定められた所定流量の設定を変更可能なモード（流量設定変更モード）を備えている。
まず、図３に示すステップＳ６において、今回のタッチ操作による吐水操作によって吐水口１８から吐水される所定の流量を変更したい場合には、コントローラ２２が図４に示すフローに従って流量設定変更モードを実行する。
【００３４】
まず、図４に示すステップＳ１５のタッチ判定において、タッチ検出装置６の検知部６ａの表面（接触部）に対してタッチされた状態が５秒間継続されたか否かが判断される。
そして、ステップＳ１５において、タッチされた状態が５秒間継続されていないものと判断された場合には、図３に示すメインフローによる通常処理が実行される。
【００３５】
一方、図４に示すステップＳ１５において、タッチされた状態が５秒間継続されている、すなわち、タッチ検出装置６の検知部６ａの表面（接触部）が５秒間タッチされて長押しされているものと判断された場合には、ステップＳ１６において流量設定変更モードが開始される。
ここで、使用者は、ステップＳ１６において流量設定変更モードが開始されると、所望の吐水流量になるように操作レバー４の位置を操作することにより、操作レバー４の位置を設定すると、ステップＳ１７に進む。
【００３６】
つぎに、図４に示すステップＳ１７において、タッチ検出装置６の検知部６ａの表面（接触部）が再びタッチ操作された否かが判断される。
そして、ステップＳ１７において、タッチ検出装置６の検知部６ａの表面（接触部）が再びタッチされたものと判断された場合には、ステップＳ１８に進み、操作レバー４の位置がほぼ止水位置（止水位置及びその近傍を含む操作位置）に設定されているか否かが判断される。
そして、ステップＳ１８において、操作レバー４の位置がほぼ止水位置に設定されているものと判断された場合には、流量設定変更が行われずに、流量設定変更モードの処理が終了される。
一方、ステップＳ１８において、操作レバー４の位置がほぼ止水位置に設定されていないものと判断された場合には、ステップＳ１９に進み、先のステップＳ１６で設定された操作レバー４の位置に基づいて所定流量の設定が変更される。これにより、タッチ操作による吐水操作によって吐水口１８から吐水される吐水流量について、使用状況や使用者の好みに応じた流量に設定され、一連の流量設定変更モードの処理が終了する。
【００３７】
つぎに、図５は、本発明の第１実施形態による電子水栓装置の吐止水操作に関する流量設定変更モードのフローの変形例である。
図５に示すように、本発明の第１実施形態による電子水栓装置１の吐止水操作に関する流量設定変更モードのフローの変形例においては、ステップＳ２０〜Ｓ２３の部分が図４に示すステップＳ１６及びＳ１７の部分と異なっている。
まず、図５に示すステップＳ１５において、タッチされた状態が５秒間継続されている、すなわち、タッチ検出装置６の検知部６ａの表面（接触部）が５秒間タッチされて長押しされているものと判断された場合には、ステップＳ２０に進み、流量設定変更モードが開始された後、ステップＳ２１に進む。
【００３８】
つぎに、図５に示すステップＳ２１において、ステップＳ２０で流量設定変更モードが開始された後に、使用者による操作レバー４の操作が行われたか否かが判断される。
そして、ステップＳ２１において、使用者による操作レバー４の操作が行われたもの判断された場合には、ステップＳ２２に進み、操作レバー４の操作が検知されていない状態（レバー操作無検知状態）が５秒継続しているか否かが判断される。
【００３９】
つぎに、図５に示すステップＳ２２において、操作レバー４の操作が検知されていない状態（レバー操作無検知状態）が５秒継続しているものと判断された場合には、図４に示すステップＳ１８と同様なステップＳ１８において、操作レバー４の位置がほぼ止水位置（止水位置及びその近傍を含む操作位置）に設定されているか否かが判断される。
そして、図５に示すステップＳ１８において、操作レバー４の位置がほぼ止水位置に設定されていないものと判断された場合には、図４に示すステップＳ１９と同様なステップＳ１９において、ステップＳ２１で検知された操作レバー４の操作で設定された操作レバー４の位置に基づいて所定流量の設定が変更される。これにより、タッチ操作による吐水操作によって吐水口１８から吐水される吐水流量について、使用状況や使用者の好みに応じた流量に設定され、一連の流量設定変更モードの処理が終了する。
【００４０】
一方、図５に示すステップＳ２１において、使用者による操作レバー４の操作が行われていないもの判断された場合には、ステップＳ２３に進む。
そして、ステップＳ２３において、操作レバー４の操作が検知されていない状態（レバー操作無検知状態）が１０秒継続しているものと判断された場合には、流量設定変更モードの処理が終了する。つまり、流量設定変更モードが開始されて一度もレバー操作されなかった場合には、流量設定を変更せずに、流量設定変更モードが終了する。
【００４１】
つぎに、図１〜図５を参照して、上述した本発明の第１実施形態による水栓装置１の作用について説明する。
まず、上述した本発明の第１実施形態による電子水栓装置１によれば、操作レバー４又はタッチ検出装置６のいずれか一方の操作部が吐止水操作された状態において、他方の操作部が吐止水操作された場合には、コントローラ２２が、他方の操作部から送信される電気的な信号を優先して各バルブ１２，１４を制御することができ、吐水口１８における吐止水を確実に行うことができる。
これにより、例えば、吐水口１８による吐水を開始させたい場合、操作レバー４又はタッチ検出装置６のいずれか一方の操作部が止水操作された状態であっても、その後、他方の操作部が吐水操作されることにより、確実に吐水を開始させることができる。
したがって、吐水操作を意図した使用者は、操作レバー４及びタッチ検出装置６のいずれの操作部を操作しても、確実に吐水を行うことができる。このため、使用者が吐水操作を行っているにもかかわらず、意図した吐水が行われていないことにより使用者に対して混乱を招くことを防ぐことができる。
よって、操作性を向上させて、操作時の使用者に対して混乱を招くことなく、使い勝手を向上させることができる電子水栓装置１を提供することができる。
【００４２】
また、本実施形態による電子水栓装置１によれば、操作レバー４の操作により吐水口１８から吐水される吐水の流量の調整を行うことができるが、この操作レバー４の止水操作により吐水流量が０と設定されている場合であっても、タッチ検出装置６のタッチ操作による吐水操作により各バルブ１２，１４を開弁操作した信号が入力されたものとコントローラ２２が判断した場合には、吐水口１８の吐水を予め定められた所定の流量で確実に開始させることができる。
したがって、操作レバー４の止水操作により吐水流量が０と設定されている場合であっても、吐水を意図した使用者は、タッチ検出装置６の検知部６ａ（接触部）をタッチ操作（吐水操作）することにより、確実に吐水を行うことができる。このため、使用者が吐水操作をしているにも関わらず、意図した吐水が行われていないことで使用者に対して混乱を招くことを防ぐことができる。
【００４３】
さらに、本実施形態による電子水栓装置１によれば、操作レバー４の操作により吐水口１８から吐水される吐水の温度の調整を行うことができるが、この操作レバー４の止水操作により吐水流量が０と設定されている場合であっても、タッチ検出装置６のタッチ操作（吐水操作）により各バルブ１２，１４を開弁操作した信号が入力されたものとコントローラ２２が判断した場合には、吐水口１８の吐水について操作レバー４の操作位置により設定されている温度に基づいて開始させることができる。
この際、操作レバー４の操作位置（吐水温度位置）を見れば、吐水口１８の吐水温度をある程度予測することができるが、吐水口１８の吐水を操作レバー４により設定されている温度に基づいて開始させることができるため、予測された吐水温度と実際の吐水温度との差を抑制することができ、使用者に違和感を与えることを抑制することができる。
【００４４】
また、本実施形態による電子水栓装置１によれば、操作レバー４の止水操作により吐水口１８の吐水流量が０であるときには、タッチ検出装置６のタッチ操作（吐水操作）により吐水口１８の吐水を予め定められた所定の流量で確実に開始させることができる。
この際、使用状況や使用者の好みに応じて、吐水流量に対する要求は様々であるが、コントローラ２２の流量設定変更手段（図４又は図５に示す流量設定変更モード）により、吐水口１８の吐水の予め定められた所定の流量を変更可能にしたことにより、使用状況や使用者の好みに応じた吐水流量を設定することができる。
したがって、使い勝手を向上させることができる。
【００４５】
さらに、本実施形態による電子水栓装置１によれば、タッチ検出装置６のタッチ操作後に操作レバー４が操作された際に、操作レバー４の加速度センサ２０から送信された信号が優先されることにより、吐水の流量又は温度を確実に変更することができる。
したがって、タッチ検出装置６のタッチ操作（吐水操作）により、予め定められた所定の流量で吐水を開始させた後に操作レバー４が吐水操作された場合、操作レバー４が吐水操作されているにも関わらず、吐水の流量や温度が変化していないという事態を招くことを防ぐことができ、使用者に対する違和感を無くすことができる。
したがって、使用者の意図に応じた流量又は温度で吐水を実現することができるため、使い勝手を向上させることができる。
【００４６】
また、本実施形態による電子水栓装置１によれば、吐水口１８から吐水が行われている状態において、操作レバー４又はタッチ検出装置６のいずれかが止水操作された場合には、各バルブ１２，１４を確実に閉弁させることができる。
したがって、止水を意図している使用者にとって、操作レバー４及びタッチ検出装置６のいずれの操作部を止水操作しているにも関わらず止水することができない事態を招くことを防ぐことができ、使用者に対する違和感を無くすことができる。
さらに、止水を意図した場合、操作レバー４及びタッチ検出装置６のいずれの操作部を止水操作しても、確実に止水することができるため、使い勝手を向上させることができると共に、無駄水の発生を抑制し、節水化を実現することができる。
【００４７】
つぎに、図６を参照して、本発明の第２実施形態による電子水栓装置について説明する。
図６は、本発明の第２実施形態による電子水栓装置の吐止水操作に関するメインフローを示す。
まず、本発明の第２実施形態による電子水栓装置１００の構造については、図１及び図２に示す本発明の第１実施形態による電子水栓装置１の構造と共通している。
また、図６に示す本発明の第２実施形態による電子水栓装置の吐止水操作に関するメインフローについては、ステップＳ１１１のみの内容が、図３に示す本発明の第１実施形態による電子水栓装置のメインフローのステップＳ１１の内容と異なっており、その他の各ステップについては、上述した第１実施形態による電子水栓装置のメインフローの各ステップと共通している。
よって、図６に示す本発明の第２実施形態による電子水栓装置の吐止水操作に関するメインフローの各ステップについては、図３に示す上述した本発明の第１実施形態による電子水栓装置１のメインフローの各ステップと共通部分については同一の符号を付し、これらの説明については省略する。
【００４８】
まず、図６に示すステップＳ１１１において、例えば、操作レバー４が回転中心軸線Ａ１を中心に一方向（吐水側操作方向θ１又は止水側操作方向θ２）に回転操作され、この操作レバー４の操作方向θ１又はθ２の積算値が所定量未満である場合には、ステップＳ２に進む。
一方、図６に示すステップＳ１１１において、例えば、操作レバー４が回転中心軸線Ａ１を中心に一方向（吐水側操作方向θ１又は止水側操作方向θ２）に回転操作され、この操作レバー４の操作方向θ１又はθ２の積算値が所定量以上である場合には、ステップＳ１２に進む。
そして、ステップＳ１２において、操作レバー４の位置が所定値未満であるものと判断された場合には、ステップＳ８に進む。
そして、ステップＳ１２の後のステップＳ８では、各バルブ１２，１４の開度が０以外の所定値未満となっており、各バルブ１２，１４がとりあえず吐水位置にあるが、振動等の影響で操作レバー４が僅かに移動しているだけであり、使用者が意図して吐水操作を行っている場合ではないものと判断され、吐水は行われない。
また、ステップＳ１２において、操作レバー４の位置が所定値以上であるものと判断された場合には、ステップＳ１３に進み、各バルブ１２，１４の開度が０から比較的大きな流量域に相当する所定値の開度まで所定時間をかけて徐々に増加される。
【００４９】
上述した本発明の第２実施形態による電子水栓装置１００によれば、例えば、周辺等で発生した振動が操作レバー４に伝達された場合には、この振動により操作レバー４が一方向θ１，φ１又は他方向θ２，φ２に移動することがある。
しかしながら、このとき、コントローラ２２により操作レバー４が一方向θ１又はθ２のみに移動しているものと判断されて、操作レバー４の操作方向θ１又はθ２の積算値が所定量以上である場合には、操作レバー４が所定距離以上移動しているため、使用者による意図した吐水操作により操作レバー４が移動されて吐水口１８の吐水を開始させることができる。
これにより、操作レバー４が一方向θ１又はθ２に移動されても、操作レバー４が所定距離以上移動していなければ、振動等により意図せずに操作レバー４が所定距離未満で僅かに移動されたものと判断することができ、吐水を開始させないようにすることができる。
したがって、操作レバー４の意図していない吐水操作による誤吐水をより確実に防ぐことができる。
【００５０】
つぎに、図７及び図８を参照して、本発明の第３実施形態による電子水栓装置について説明する。
図７は、本発明の第３実施形態による電子水栓装置の構成を示すブロック図である。また、図８は、本発明の第３実施形態による電子水栓装置の吐止水操作に関するメインフローを示す。
ここで、図７及び図８に示す本発明の第３実施形態による電子水栓装置２００において、上述した本発明の第１実施形態による電子水栓装置１と同一部分については同一の符号を付し、これらの説明については省略する。
まず、図７に示すように、本発明の第３実施形態による電子水栓装置２００の構造については、水栓本体部２の吐水口１８の近傍に第２操作部である人体検知センサ２０６が設けられている点が、図１及び図２に示す本発明の第１実施形態による電子水栓装置１の第２操作部であるタッチ検出装置６の構造と異なっており、その他の部分は共通している。
また、本実施形態による電子水栓装置２００においては、人体検知センサ２０６によりスパウト１６の吐水口１８の下方付近に接近する手指等の被検知物の有無を検知し、この検知した信号に基づいて自動吐水を行うことができるようになっている。
なお、本実施形態では、人体検知センサ２０６として赤外線式のセンサを採用した例について説明するが、赤外線式のセンサ以外にも、マイクロ波式センサ等、他の種類の非接触タイプのセンサを採用してもよい。
【００５１】
つぎに、図８を参照して、本実施形態による電子水栓装置２００の吐止水操作に関するメインフローについて説明する。
まず、図８に示すステップＳ２０１の初期設定では、各バルブ１２，１４の開度が０に設定されていると共に、操作レバー４の手動操作状態を示すフラグ（以下「手動フラグ」）がオフに設定された後、ステップＳ２０２に進む。
【００５２】
つぎに、図８に示すステップＳ２０２において、人体検知センサ２０６が対象物を検知しているものと判断された場合には、ステップＳ２０３に進み、加速度センサ２０により検知された操作レバー４の位置が０であるか否かが判断される。
そして、ステップＳ２０３において、加速度センサ２０により検知された操作レバー４の位置が０である場合、すなわち、今回の人体検知前の操作レバー４の位置が止水位置である場合には、使用者が手指等の対象物を人体検知センサ２０６に検知させることにより、吐水操作を意図した状態で今回の人体検知が行われたものと判断され、ステップＳ２０４に進む。
そして、ステップＳ２０４では、各バルブ１２，１４のうちの少なくとも水用モータバルブ１４の開度が０以外の予め定められた所定値に設定され、吐水口１８から所定の流量及び所定の温度の水又は湯水の吐水が開始される。
【００５３】
一方、図８に示すステップＳ２０３において、加速度センサ２０により検知された操作レバー４の位置が０でない場合、すなわち、今回の人体検知前の操作レバー４の位置が吐水位置である場合には、ステップ２０５に進み、操作レバー４の位置が０以外の所定値以上であるか否かが判断される。
そして、ステップＳ２０５において、操作レバー４の位置が０以外の所定値以上である場合、すなわち、流量が大流量域に設定されている場合には、突然大流量の吐水が開始されないように、ステップＳ２０４に進む。そして、ステップＳ２０４において、吐水口１８から所定の流量及び所定の温度の水又は湯水の吐水が開始される。
【００５４】
つぎに、図８に示すステップＳ２０５において、操作レバー４の位置が所定値未満であるものと判断された場合には、そのまま吐水しても問題ないと判断し、ステップ２０６において操作レバー4の位置から流量と温度を設定し、吐水を開始する。
【００５５】
つぎに、図８に示すステップＳ２０２において、人体検知センサ２０６が対象物を検知していないものと判断された場合には、ステップＳ２０７に進み、操作レバー４の操作が行われたか否かが判断される。
そして、ステップＳ２０７において、加速度センサ２０からコントローラ２２に送信される電気的な信号等に基づいて、操作レバー４の操作が行われたものと判断された場合には、ステップＳ２０８において、手動フラグがオンに設定された後、ステップＳ２０９に進む。
そして、ステップＳ２０９において、各バルブ１２，１４の開度が０以外である場合、吐水中に操作レバー４の吐水操作が行われたものと判断され、ステップＳ２０６に進む。このステップＳ２０９後のステップＳ２０６では、操作レバー４の吐水位置及び温度位置に応じた各バルブ１２，１４の開度が設定され、吐水口１８から所定の流量及び所定の温度の水又は湯水の吐水が行われる。
【００５６】
つぎに、図８に示すステップＳ２０９において、各バルブ１２，１４の開度が０である場合、すなわち、止水中である場合には、ステップＳ２１０に進む。
そして、ステップＳ２１０において、操作レバー４の位置が所定値未満であるものと判断された場合には、設定流量で吐水を開始しても問題ないものと判断され、ステップＳ２０６に進む。
そして、ステップＳ２１０後のステップＳ２０６においては、操作レバー4の位置から流量と温度を設定し、吐水を開始する。
【００５７】
つぎに、図８に示すステップＳ２１０において、操作レバー４の位置が所定値以上であるものと判断された場合には、設定流量で吐水を開始すると水はねなどの問題が発生すると判断し、ステップ２１１に進む。
そして、ステップ２１１では、各バルブ１２，１４の開度が０から比較的大きな流量域に相当する所定値の開度まで所定時間をかけて徐々に増加される。
なお、各バルブ１２，１４の開度を所定時間をかけて徐々に増加させる際には、各バルブ１２，１４の開度を時間の経過と共に段階的に増加させてもよいし、或いは、連続的に増加させるようにしてもよい。
【００５８】
つぎに、再び、図８に示すステップＳ２０７において、操作レバー４の操作が行われていないものと判断された場合には、Ｓ２１２において、電子水栓装置１の電源（図示せず）がオフにされる等の電源操作が行われたか否かが判断される。
そして、ステップＳ２１２において、電源操作が行われたものと判断された場合には処理が終了し、電源操作が行われていないものと判断された場合には、ステップＳ２１３に進む。
そして、ステップＳ２１３において、手動フラグがオフに設定された後、ステップＳ２０２に戻る。
【００５９】
つぎに、図８に示すステップＳ２０６及びステップＳ２１１の後、ステップＳ２１４において、各バルブ１２，１４の開度が０に設定されているか否か、つまり止水状態にあるかどうかが判断される。
そして、ステップＳ２１４において、各バルブ１２，１４の開度が０に設定されている、つまり止水されているものと判断された場合には、ステップＳ２１３に進み、手動フラグがオフに設定される。
【００６０】
一方、ステップＳ２１４において、各バルブ１２，１４の開度が０以外に設定されているものと判断された場合には、ステップＳ２１５に進み、手動フラグがオン又はオフのいずれに設定されているかが判断される。
そして、ステップＳ２１５において、手動フラグがオンに設定されているものと判断された場合には、ステップＳ２０７に戻る。これにより、Ｓ２０７でレバー操作されたと判断された場合、つまり、使用者がレバー操作を行った場合においては、人体検知が継続していなくとも、止水を行わずＳ２０７へと戻ることになり、吐水が継続されることになる。
【００６１】
一方、ステップＳ２１５において、手動フラグがオフに設定されているものと判断された場合には、ステップＳ２１６に進み、人体検知センサ２０６による人体検知が継続されているか否かが判断される。
つぎに、ステップＳ２１６において、人体検知が継続されていないものと判断された場合には、ステップＳ２１７に進み、各バルブ１２，１４の開度が０に設定され、吐水口１８からの吐水が止水された後、ステップＳ２１３に進み、再びステップＳ２０２に戻る。
一方、図８に示すステップＳ２１６において、人体検知センサ２０６による人体検知が継続されているものと判断された場合には、ステップＳ２０７に戻る。
つまり、ステップＳ２０７でレバー操作されたと判断されていない、つまり、使用者がレバー操作を行わなかった場合においては、人体検知が継続している間は吐水が継続されるが、人体検知が途切れた場合には止水が行われることになる。
【００６２】
つぎに、図７及び図８を参照して、上述した本発明の第３実施形態による水栓装置２００の作用について説明する。
まず、上述した本発明の第３実施形態による電子水栓装置２００によれば、操作レバー４又は人体検知センサ２０６のいずれか一方の操作部が吐止水操作された状態において、他方の操作部が吐止水操作された場合には、コントローラ２２が、他方の操作部から送信される電気的な信号を優先して各バルブ１２，１４を制御することができ、吐水口１８における吐止水を確実に行うことができる。
これにより、例えば、吐水口１８による吐水を開始させたい場合、操作レバー４又は人体検知センサ２０６のいずれか一方の操作部が止水操作された状態であっても、その後、他方の操作部が吐水操作されることにより、確実に吐水を開始させることができる。
したがって、吐水操作を意図した使用者は、操作レバー４及び人体検知センサ２０６のいずれの操作部を操作しても、確実に吐水を行うことができる。このため、使用者が吐水操作を行っているにもかかわらず、意図した吐水が行われていないことにより使用者に対して混乱を招くことを防ぐことができる。
よって、操作性を向上させて、操作時の使用者に対して混乱を招くことなく、使い勝手を向上させることができる電子水栓装置１を提供することができる。
【００６３】
また、本実施形態による電子水栓装置２００によれば、操作レバー４の操作により吐水口１８から吐水される吐水の流量の調整を行うことができるが、この操作レバー４の止水操作により吐水流量が０と設定されている場合であっても、人体検知センサ２０６が使用者の手指等の対象物を検知した吐水操作により各バルブ１２，１４を開弁操作した信号が入力されたものとコントローラ２２が判断した場合には、吐水口１８の吐水を予め定められた所定の流量で確実に開始させることができる。
したがって、操作レバー４の止水操作により吐水流量が０と設定されている場合であっても、吐水を意図した使用者は、手指等の対象物を人体検知センサ２０６に検知させて吐水操作をすることにより、確実に吐水を行うことができる。このため、使用者が吐水操作をしているにも関わらず、意図した吐水が行われていないことで使用者に対して混乱を招くことを防ぐことができる。
【００６４】
さらに、本実施形態による電子水栓装置２００によれば、操作レバー４の操作により吐水口１８から吐水される吐水の温度の調整を行うことができるが、この操作レバー４の止水操作により吐水流量が０と設定されている場合であっても、人体検知センサ２０６が使用者の手指等の対象物を検知した吐水操作により各バルブ１２，１４を開弁操作した信号が入力されたものとコントローラ２２が判断した場合には、吐水口１８の吐水を操作レバー４により設定されている温度に基づいて開始させることができる。
この際、操作レバー４の操作位置（吐水温度位置）を見れば、吐水口１８の吐水温度をある程度予測することができるが、吐水口１８の吐水を操作レバー４により設定されている温度に基づいて開始させることができるため、予測された吐水温度と実際の吐水温度との差を抑制することができ、使用者に違和感を与えることを抑制することができる。
【００６５】
さらに、本実施形態による電子水栓装置２００によれば、人体検知センサ２０６が対象物を検知した後に操作レバー４が操作された際に、操作レバー４の加速度センサ２０から送信された信号を優先することにより、吐水の流量又は温度を確実に変更することができる。
したがって、人体検知センサ２０６が検知したことによる吐水操作により、予め定められた所定の流量で吐水を開始させた後に、操作レバー４が吐水操作された際に、操作レバー４を吐水操作しているにも関わらず、吐水の流量や温度が変化していないという事態を招くことを防ぐことができ、使用者に対する違和感を無くすことができる。
したがって、使用者の意図に応じた流量又は温度で吐水を実現することができるため、使い勝手を向上させることができる。
【００６６】
上述した本発明の第３実施形態による電子水栓装置２００によれば、人体検知センサ２０６による対象物の検知にて予め定められた所定流量の吐水が開始された後に、吐水口１８の吐水を継続させている状態で、さらに、操作レバー４を吐水操作すると、操作レバー４から吐水操作した信号がコントローラ２２に入力される。
この際、人体検知センサ２０６が対象物を検知できなくなって人体検知センサ２０６から止水操作している信号がコントローラ２２に入力されたとしても、コントローラ２２が、操作レバー４からの吐水操作した信号を優先してさらに吐水を継続させることができる。
したがって、吐水を継続させることを意図して操作レバー４を操作した使用者にとって、意に反した止水を防ぐことができるため、使い勝手がよい。
【００６７】
また、本実施形態による電子水栓装置２００によれば、吐水口１８から吐水が行われている状態において、操作レバー４又は人体検知センサ２０６のいずれかによって止水操作された場合には、各バルブ１２，１４を確実に閉弁させることができる。
したがって、止水を意図している使用者にとって、操作レバー４及び人体検知センサ２０６のいずれの操作部を止水操作しているにも関わらず止水することができない事態を招くことを防ぐことができ、使用者に対する違和感を無くすことができる。
さらに、止水を意図した場合、操作レバー４及び人体検知センサ２０６のいずれの操作部を止水操作しても、確実に止水することができるため、使い勝手を向上させることができると共に、無駄水の発生を抑制し、節水化を実現することができる。
【００６８】
なお、上述した本発明の第１実施形態による電子水栓装置１及び第３実施形態による電子水栓装置２００においては、第１操作部として操作レバー４を適用し、この操作レバー４を回転操作したときの操作量（移動距離）に基づいて吐水流量を変更可能にするような形態について説明したが、操作レバー４の操作量については、移動距離以外にも、加速度センサ２０によって検知した操作レバー４の角度変化や回転量等基づいて吐水流量を変更可能にしてもよいし、操作レバー４以外の他の形態の第１操作部の操作量に基づいて吐水流量を変更可能にしてもよい。
例えば、操作レバー４以外の形態の第１操作部として、押圧操作が可能な第１操作部を採用し、この操作部を押圧操作した際の操作量（押し込み量）に応じて吐水流量を変更可能にしてもよい。或いは、タッチ操作が可能な第１操作部を採用し、この操作部をタッチ操作している操作量（タッチ時間）に応じて吐水流量を変更可能にしてもよい。
【符号の説明】
【００６９】
１        本発明の第１実施形態による電子水栓装置
２        水栓本体部
４        操作レバー（第１操作部）
６        タッチ検出装置（第２操作部）
６ａ      検知部
８        通湯路
１０        通水路
１２        湯用モータバルブ（電気式の開閉弁）
１４        水用モータバルブ（電気式の開閉弁）
１６        スパウト
１８        吐水口（吐水部）
２０        加速度センサ
２２        コントローラ（制御部）
１００        本発明の第２実施形態による電子水栓装置
２００        本発明の第３実施形態による電子水栓装置
２０６        人体検知センサ（第２操作部）
Ａ１      回転中心軸線
Ａ２      回転中心軸線
Ｃ        カウンターボード
θ１      吐水側操作方向
θ２      止水側操作方向
φ１      低温側操作方向
φ２      高温側操作方向
【図１】
2019065530.tif 000003
【図２】
2019065530.tif 000004
【図３】
2019065530.tif 000005
【図４】
2019065530.tif 000006
【図５】
2019065530.tif 000007
【図６】
2019065530.tif 000008
【図７】
2019065530.tif 000009
【図８】
2019065530.tif 000010